(57)【特許請求の範囲】
【請求項１】
前位の交換機と後位の交換機でリダイレクション手順をサポートするリダイレクション方法において、
全ての前位交換機でサポートするサービスや発ユーザなどの条件に基づいて、前位交換機群から後位交換機群に対して、リダイレクション能力パラメータに加えて、リダイレクションの実行が許容され、リダイレクション実行理由を全て含むリダイレクション順方向情報パラメータとを転送し、
該後位交換機が該後位交換機でのサービス等の条件でリダイレクションを起動したい場合には、該前位交換機群から受信した該リダイレクション能力パラメータにより、現状の呼状態で該前位交換機群がリダイレクション実行可能か否かを判断することに加えて、可能である場合には、さらにリダイレクション順方向情報パラメータに含まれる該リダイレクション実行理由を受信しているかを判断し、受信している場合には、該後位交換機でリダイレクションを起動したい理由が、該リダイレクション実行理由に含まれているか否かを判断し、含まれている場合には、さらに該リダイレクション実行理由に対応する実行交換機リダイレクション可能表示により、その時点の呼状態でリダイレクションが可能か否かを判断し、可能であれば、該後位交換機でリダイレクションを起動し、
一方、上記各判断の結果が否定の場合には、リダイレクションを起動することなく、他の呼処理を継続することを特徴とする選択的リダイレクション方法。
【請求項２】
請求項１に記載の選択的リダイレクション方法において、
前記前位交換機群と後位交換機群の間の中継交換機群は、該前位交換機群から受信したリダイレクション順方向情報パラメータに含まれるリダイレクション実行理由に対し、新たに該中継交換機群でサポートするサービスや前位交換機群の条件に基づいて、リダイレクションの実行が許容され、リダイレクション実行理由を追加して、該後位交換機群に転送することを特徴とする選択的リダイレクション方法。
【請求項３】
リダイレクションを実行する前位交換機群と、リダイレクションを起動する後位交換機群とを有するリダイレクション・システムであって、
前記前位交換機群は、前位のサービス条件に応じてリダイレクション実行理由を含むリダイレクション関連パラメータを設定して後位交換機群に転送するとともに、前記後位交換機群から転送されるリダイレクション起動理由が、前記リダイレクション実行理由に合致した場合に、前位のサービスの条件に基づいてリダイレクションの実行を判断するものであり、
前記後位交換機群は、前記前位交換機群から転送されたリダイレクション実行理由全てを受け取り、リダイレクションを起動する要因が前記リダイレクション実行理由のいずれかと合致するときに、リダイレクションを起動しリダイレクション起動理由を前記前位交換機群に転送するものであることを特徴とするリダイレクション・システム。
【請求項４】
請求項３に記載のリダイレクション・システムにおいて、
前記前位交換機群と前記後位交換機群の間にリダイレクション実行理由を追加する中継交換機を設けたことを特徴とするリダイレクション・システム。
【請求項５】
請求項１または２に記載の選択的リダイレクション方法の各ステップをコンピュータで実行可能にするためのプログラム。
【請求項６】
請求項１または２に記載の選択的リダイレクション方法の各ステップをプログラムに変換し、変換されたプログラムを記録したことを特徴とするコンピュータ読み取り可能な記録媒体。
【発明の詳細な説明】
【０００１】
【発明の属する技術分野】
本発明は、交換システムにおける交換機間のリダイレクション方法に関し、特に前位のサービスおよび後位のサービスの条件に依存してリダイレクションの実行を選択できる選択的リダイレクション方法およびそのシステム、ならびにそのプログラムに関する。
【０００２】
【従来の技術】
発信者からの着番号以外の番号に呼を確立する場合に、後位交換機群と前位交換機群の間で呼を切り戻してルーティングする方法として、リダイレクション手順が知られている（ＴＴＣ標準ＪＴ−Ｑ７３０第６版（１９９９年１１月制定））。
このリダイレクション手順において、前位のサービスの条件や後位のサービスの条件によっては、リダイレクションの実行が許容されない場合や、リダイレクションが実行できない場合がある。そのような場合には、前位交換機でリダイレクションの実行が許容されるリダイレクション実行理由を後位交換機群に伝達し、後位交換機群がリダイレクションを起動しようとする際に、起動要因が上記リダイレクション実行理由候補の理由と合致する場合にのみダイレクションを起動する方法が望ましい。また、ＴＴＣ標準ＪＴ−Ｑ７３０第６版によると、上記リダイレクション実行理由を含むリダイレクション順方向情報パラメータの、前位交換機群、中継交換機群、後位交換機群における利用方法が明確でない。
【０００３】
図１１は、従来のリダイレクション手順を示す説明図である。
図１１により、従来のリダイレクション方法を考える。
例えば、図１１に示すように、発信者１１から発信があり、前位交換機１２（リダイレクションを実行する交換機）は前位のサービス条件により、理由Ａおよび理由Ｂおよび理由Ｃであればリダイレクションを許容する場合に、前位交換機１２はリダイレクションを許容する理由としてそれらのリダイレクション実行理由と対応する実行交換機リダイレクション可能表示の組合せをそれぞれリダイレクション順方向情報パラメータに含み、リダイレクション能力パラメータと、リダイレクション回数パラメータ（以前にリダイレクションが１回以上実行されている場合に設定）とともにアドレスメッセージ（１）ＩＡＭに設定して後位交換機１３（リダイレクションを起動する交換機）に転送する（動作１−１）。なお、パラメータの設定方法については、後述の図９を参照のこと。
【０００４】
後位交換機１３では、後位のサービス条件によって理由Ｄでリダイレクションを起動しようとする場合に、（１）ＩＡＭで受信したリダイレクション能力パラメータを参照し、その時点の呼状態でリダイレクションが可能であれば、リダイレクションを起動する理由Ｄが（１）ＩＡＭで受信したリダイレクション順方向情報パラメータ内のリダイレクション実行理由に含まれているかを確認する（動作１−２）。
リダイレクションを起動する理由Ｄがリダイレクション実行理由に含まれていない場合でも、後位交換機群はリダイレクションを起動する（後述の図１０の後位交換機におけるリダイレクションの起動の判断を参照）。この場合、理由Ｄで起動したことを（２）ＲＥＬで転送する。リダイレクションを起動した後位交換機１３からリダイレクションの実行を要求された前位交換機１２では、前位のサービス条件によってリダイレクションを許容する理由でない理由Ｄに対しても、リダイレクションを実行する処理を行うことになっていた。
リダイレクションを実行した場合には、他の交換機１４に（３）ＩＡＭ、が順次転送されて、着信者１６に着信する。
【０００５】
図９は、リダイレクション手順で利用されるパラメータの構成を示す図である。
図９（１）には、発側交換機群から着側交換機群へ送信するリダイレクション関連パラメータのアドレスメッセージ（１）ＩＡＭへの設定方法が示され、図９（２）には、着側交換機がリダイレクションを起動した場合に、発側交換機群に返送するリダイレクション関連パラメータの切断メッセージ（２）ＲＥＬへの設定方法が示されている。
図９（１）のリダイレクション能力パラメータは、少なくとも１つの前位交換機で呼のリダイレクションが可能であること、およびリダイレクションが可能である呼の状態を示す。また、リダイレクション順方向情報パラメータは、リダイレクション実行理由と実行交換機リダイレクション可能表示を含んでおり、特定の理由に対して、交換機がリダイレクションを実行する用意があることを示す情報である。また、リダイレクション回数パラメータは、呼においてリダイレクションを実行した回数を保持するための情報である。
図９（２）の転送先番号は、呼がリダイレクションされるべき番号または転送された番号を示す情報である。また、リダイレクション逆方向情報パラメータは、リダイレクションが起動された理由を示す情報である。また、リダイレクション回数パラメータは、呼においてリダイレクションを実行した回数を保持するための情報である。
【０００６】
図１０は、従来のリダイレクション方法における後位交換機群のリダイレクションを起動するための判断プロセスを示すフローチャートである。
着側のサービス等の条件でリダイレクションを起動したい場合、後位交換機群は、リダイレクション能力パラメータを受信しているかを確認し（ステップ１１１）、受信している場合には、リダイレクション能力パラメータより現状の呼状態でリダイレクション可能か否かを確認し（ステップ１１２）、可能である場合には、リダイレクション実行理由を受けているか否かを確認し（ステップ１１３）、受けている場合には、リダイレクションを起動する理由が受信したリダイレクション実行理由に含まれているか否かを確認し（ステップ１１４）、含まれている場合には、理由に対応する実行交換機リダイレクション可能表示より現状の呼状態でリダイレクションが可能か否かを判断し（ステップ１１５）、可能である場合には、リダイレクション起動を行う（ステップ１１８）。
一方、リダイレクション実行理由を受信していない場合、および起動理由が受信したリダイレクション実行理由に含まれいない場合には、リダイレクションを起動するか否かを判断し（ステップ１１６）、起動すると判断した場合には、リダイレクション起動を行う（ステップ１１８）。また、起動しないと判断した場合には、他の呼処理を継続する（ステップ１１７）。
【０００７】
【発明が解決しようとする課題】
このように、リダイレクションの実行は、前位のサービス条件に依存する場合と、後位のサービス条件に依存する場合とがあるが、現在の規定では前位と後位のサービス競合等の条件によりリダイレクションすべきでない場合に対しても、前位交換機はリダイレクションを実行しなければならないという問題が生じていた。
【０００８】
そこで、本発明の目的は、これら従来の課題を解決し、サービスの競合要求条件等により、リダイレクションを実行しない判断をするために、前位からリダイレクションを許容する理由を後位に伝達し、後位で、その情報を元にリダイレクションを起動するか否かの判断を行う選択的なリダイレクションが可能な選択的リダイレクション方法およびそのシステム、ならびにそのプログラムを提供することにある。
【０００９】
【課題を解決するための手段】
上記目的を達成するため、本発明の選択的リダイレクション方法は、前位交換機は前位のサービス条件を考慮してリダイレクションを許容するリダイレクション実行理由の値を全てリダイレクション順方向情報パラメータに含め、リダイレクション能力パラメータとリダイレクション回数パラメータ(以前にリダイレクションが1回以上実行されている場合に設定)とともに、アドレスメッセージ（ＩＡＭ）に設定して後位交換機に転送する。
このように、本発明においては、前位交換機が前位のサービス条件を考慮して、リダイレクションを許容する全てのリダイレクション実行理由の値をリダイレクション順方向情報パラメータに含めてＩＡＭにより後位交換機群に伝達するため、後位交換機では、前位交換機群が許容しているリダイレクションの理由を全て認識することができる。
【００１０】
一方、後位交換機では、前位交換機群が許容しているリダイレクションの理由に対してのみリダイレクションを起動することが可能となる。従って、リダイレクションを起動した交換機から切断メッセージ（ＲＥＬ）を受信した前位交換機では、受信したリダイレクションを起動した理由がＩＡＭで転送済みの前位交換機で許容するリダイレクションの理由のどれかの値に合致しているため、前位のサービスによって許容されている理由でリダイレクションを実行することが可能となる。その結果、本発明の目的である、前位のサービスおよび後位のサービスの条件に依存してリダイレクションを行うか否かを選択する選択的リダイレクションを実現することができる。
【００１１】
【発明の実施の形態】
以下、本発明の実施例を、図面により詳細に説明する。
図８は、本発明の一実施例を示す後位交換機の動作フローチャートであって、後位交換機におけるリダイレクションを起動するための判断プロセスを示している。
図８に示すように、後位交換機では、そのサービス等の条件でリダイレクションを起動しようとする場合、前位交換機群からのＩＡＭで、リダイレクション能力パラメータを受信しているか否かを判断する（ステップ１０１）。リダイレクション能力パラメータを受信していない場合には、リダイレクションを起動せずに他の呼処理を継続する（通常の切断手順も含む）（ステップ１０６）。
リダイレクション能力パラメータを受信している場合、そのリダイレクション能力パラメータを参照し、その呼状態でリダイレクションが可能か否かを判断する（ステップ１０２）。その呼状態でリダイレクションが可能でない場合には、リダイレクションを起動せずに他の呼処理を継続する（通常の切断手順も含む）（ステップ１０６）。その呼状態でリダイレクションが可能である場合には、さらにリダイレクション順方向情報パラメータ（実行理由）を受信しているか否かを確認する（ステップ１０３）。リダイレクション順方向情報パラメータを受信していない場合には、リダイレクションを起動せずに他の呼処理を継続する（通常の切断手順も含む）（ステップ１０６）。リダイレクション順方向情報パラメータを受信している場合には、後位のサービス条件によりリダイレクションを起動する理由が、リダイレクション実行理由に含まれているか否かを確認する（ステップ１０４）。
【００１２】
後位のサービス条件によってリダイレクションを起動する理由が、リダイレクション実行理由に含まれていない場合には、リダイレクションを起動せずに他の呼処理を継続する（通常の切断手順も含む）（ステップ１０６）。リダイレクションを起動する理由がリダイレクション実行理由に含まれている場合には、そのリダイレクション実行理由に対応する実行交換機リダイレクション可能表示により、その時点の呼状態でリダイレクションが可能であるか否かを判断する（ステップ１０５）。その時点の呼状態でリダイレクションが可能であれば、リダイレクションを起動し（ステップ１０７）、また、リダイレクションが不可能であれば、リダイレクションを起動せずに他の呼処理を継続する（通常の切断手順も含む）（ステップ１０６）。
リダイレクションを起動した交換機から切断メッセージ（ＲＥＬ）を受信した前位交換機では、受信したリダイレクションを起動した理由がＩＡＭで転送済みのリダイレクション実行理由に合致している場合に、リダイレクションを実行する。
【００１３】
（第１の実施例）
（実施態様１）
図１および図２は、本発明の第１の実施例を示す選択的リダイレクションサービス方法の説明図であって、前位のサービスおよび後位のサービスの条件に依存して、リダイレクションを利用するか否かを選択する場合の例を示している。
図１は、リダイレクションを起動する理由が、前位のサービスでリダイレクションを許容する理由と一致する場合である。
前位のサービス条件は、理由Ａおよび理由Ｂおよび理由Ｃであれば、リダイレクションを許容する、というものであり、後位のサービス条件は、理由Ｃでリダイレクションを起動したい場合である。この場合には、発信者１１からの接続に対して、前位交換機１２では前位のサービス条件によりリダイレクションの実行を許容する全ての理由（ここでは、理由Ａおよび理由Ｂおよび理由Ｃ）をアドレスメッセージ（１）ＩＡＭに設定し、後位交換機１３に転送する（動作３−１−１）。後位交換機１３では、リダイレクションを起動する理由（この場合は理由Ｃ）でリダイレクションの起動が可能か否かを、アドレスメッセージ（１）ＩＡＭで受信した、前位交換機１２からのリダイレクションの実行を許容する理由（この場合は理由Ａおよび理由Ｂおよび理由Ｃ）を利用して判断する（動作３−１−２）。
【００１４】
リダイレクションを起動する理由（この場合には理由Ｃ）が、前位交換機群からのリダイレクションの実行を許容する理由（この場合には理由Ｃ）と一致しているため、後位交換機１３ではリダイレクションを起動し、切断メッセージ（２）ＲＥＬによりリダイレクションを起動した理由（この場合は理由Ｃ）を前位交換機１２に転送する（動作３−１−３）。このような作用により、前位交換機１２では、リダイレクションを起動した後位交換機１３から切断メッセージ（ＲＥＬ）を受信した際に、受信したリダイレクションを起動した理由（この場合は理由Ｃ）が、アドレスメッセージ（ＩＡＭ）で転送済みのリダイレクションの実行を許容する理由（この場合は理由Ｃ）に合致しているため、前位のサービス条件に合ったリダイレクションを実行することができる（動作３−１−４）。
【００１５】
次に、図２は、リダイレクションを起動する理由が前位のサービスでリダイレクションを許容する理由と一致しない場合である。
前位のサービスの条件は、理由Ａおよび理由Ｂおよび理由Ｃであれば、リダイレクションを許容する、というものであり、後位のサービスの条件は理由Ｄで起動したい場合である。この場合には、発信者１１からの接続に対して、前位交換機１２では前位のサービス条件によりリダイレクションの実行を許容する理由（この場合には理由Ａおよび理由Ｂおよび理由Ｃ）をアドレスメッセージ（１）ＩＡＭに設定し、後位交換機１３に転送する（動作３−２−１）。後位交換機１３では、リダイレクションを起動する理由（この場合は理由Ｄ）でリダイレクションの起動が可能か否かを、アドレスメッセージ（１）ＩＡＭで受信した、前位交換機１２からのリダイレクションの実行を許容する理由（この場合には理由Ａおよび理由Ｂおよび理由Ｃ）を利用して判断する（動作３−２−２）。リダイレクションを起動する理由（この場合は理由Ｄ）が、前位交換機１２からのリダイレクションの実行を許容する理由（この場合は理由Ａおよび理由Ｂおよび理由Ｃ）と一致していないため、後位交換機１３ではリダイレクションを起動せず、他の呼処理（この場合、通常の切断手順を実行）を行う（動作３−２−３）。
【００１６】
このような作用により、前位交換機１２では、後位交換機１３からアドレスメッセージ（１）ＩＡＭで転送済みのリダイレクションの実行を許容する理由（この場合は、理由Ａおよび理由Ｂおよび理由Ｃ）以外の理由でリダイレクションの実行を要求されることはなく、前位のサービス条件に合わないリダイレクションを実行することはない。
この結果、前位交換機１２では、必ずリダイレクションの実行を許容する理由でのみリダイレクションを実行することができ、従来の技術に比べて、前位のサービスおよび後位のサービスの条件に依存してリダイレクションを利用するか選択することができるという効果がある。
【００１７】
（実施態様２）
図３および図４は、本発明の第１の実施例を示す選択的リダイレクション方法の説明図であって、前位のサービス条件により、発ユーザの属性毎にリダイレクションを利用するか選択する場合の例を示している。
図３は、発信者Ｘの場合であって、前位のサービス条件は、発信者Ｘからの発信は、理由Ａおよび理由Ｃであればリダイレクションを許容する、というものであり、後位のサービス条件は理由Ｃでリダイレクションしたい場合である。
この場合には、発信者１１からの接続に対して、前位交換機１２では、発ユーザの属性によりリダイレクションの実行を許容する理由（この場合は理由Ａおよび理由Ｃ）をアドレスメッセージ（１）ＩＡＭに設定し、後位交換機１３に転送する（動作４−１−１）。後位交換機１３では、リダイレクションを起動する理由（この場合は理由Ｃ）でリダイレクションの起動が可能であるかを、アドレスメッセージ（１）ＩＡＭで受信した、前位交換機１２からのリダイレクションの実行を許容する理由（この場合は理由Ａおよび理由Ｃ）を利用して判断する（動作４−１−２）。
【００１８】
リダイレクションを起動する理由（この場合は理由Ｃ）が、前位交換機１２からのリダイレクションの実行を許容する理由（この場合は理由Ｃ）と一致しているため、後位交換機１３ではリダイレクションを起動し、切断メッセージ（２）ＲＥＬによりリダイレクションを起動した理由（この場合は理由Ｃ）を前位交換機１２に転送する（動作４−１−３）。
このような作用により、前位交換機１２では、リダイレクションを起動した後位交換機１３から切断メッセージ（ＲＥＬ）を受信した際に、受信したリダイレクションを起動した理由（この場合は理由Ｃ）が、アドレスメッセージ（１）ＩＡＭで転送済みのリダイレクションの実行を許容する理由（この場合は理由Ｃ）に合致しているため、発ユーザの属性に合ったリダイレクションを実行することができる（動作４−１−４）。
【００１９】
図４は、発信者Ｙの場合であって、前位のサービスの条件は、発信者Ｙからの発信は、理由Ａおよび理由Ｂであればリダイレクションを許容する（理由Ｃのリダイレクションは許容しない）、というものであり、後位のサービスの条件は理由Ｃでリダイレクションしたい場合である。この場合には、発信者１１からの接続に対して、前位交換機１２では発ユーザの属性によりリダイレクションの実行を許容する理由（この場合は理由Ａおよび理由Ｂ）をアドレスメッセージ（１）ＩＡＭに設定し、後位交換機１３に転送する（動作４−２−１）。後位交換機１３では、リダイレクションを起動する理由（この場合は理由Ｃ）でリダイレクションの起動が可能か否かを、アドレスメッセージ（１）ＩＡＭで受信した、前位交換機１２からのリダイレクションの実行を許容する理由（この場合は理由Ａおよび理由Ｂ）を利用して判断する（動作４−２−２）。
【００２０】
リダイレクションを起動する理由（この場合は理由Ｃ）が、前位交換機１２からのリダイレクションの実行を許容する理由（この場合は理由Ａおよび理由Ｂ）と一致していないため、後位交換機１３ではリダイレクションを起動せず、他の呼処理（この場合は呼の転送を実行）を行う（動作４−２−３）。すなわち、図４に示すように、後位交換機１３から他の交換機１４（１）ＩＡＭを転送して、着信者１６に着信させる。
このような作用により、前位交換機１２では、後位交換機１３からアドレスメッセージ（ＩＡＭ）で転送済みのリダクションの実行を許容する理由（この場合は理由Ａおよび理由Ｂ）以外の理由でリダイレクションの実行を要求されることはなく、発ユーザの属性に合わないリダイレクションを実行することはない。
この結果、前位交換機１２では、必ずリダイレクションの実行を許容する理由でのみリダイレクションを実行することができ、従来の技術に比べて、前位のサービス条件により、発ユーザの属性毎にリダイレクションを利用するか否かを選択することができる、という効果がある。
【００２１】
（実施態様３）
図５および図６は、本発明の第１の実施例を示す選択的リダイレクション方法の説明図であって、異なるネットワークでのリダイレクション機能の具備状況の差に対応してリダイレクションを利用するか選択する場合の例を示す。
図５は、Ｍ網からの発信者の場合であって、Ｍ網のリダイレクション機能の具備状況は、理由Ｂおよび理由Ｃに対するリダイレクションの実行機能を具備しており、後位のサービス条件は理由Ｃでリダイレクションしたい場合である。
この場合には、発信者１１からの接続に対し、前位交換機１２ではＭ網のリダイレクション機能の具備状況により、リダイレクションの実行を許容する理由（この場合は理由Ｂおよび理由Ｃ）をアドレスメッセージ（１）ＩＡＭに設定し、後位交換機１３に転送する（動作５−１−１）。後位交換機１３では、リダイレクションを起動する理由（この場合は理由Ｃ）でリダイレクションの起動が可能か否かを、アドレスメッセージ（ＩＡＭ）で受信した、前位交換機１２からのリダイレクションの実行を許容する理由（この場合は理由Ｂおよび理由Ｃ）を利用して判断する（動作５−１−２）。
【００２２】
リダイレクションを起動する理由（この場合は理由Ｃ）が、前位交換機１２からのリダイレクションの実行を許容する理由（この場合は理由Ｃ）と一致しているため、後位交換機１３ではリダイレクションを起動し、切断メッセージ（２）ＲＥＬによりリダイレクションを起動した理由（この場合は理由Ｃ）を前位交換機１２に転送する（動作５−１−３）。このような作用により、前位交換機１２では、リダイレクションを起動した後位交換機１３から切断メッセージ（ＲＥＬ）を受信した際に、受信したリダイレクションを起動した理由（この場合は理由Ｃ）が、アドレスメッセージ（ＩＡＭ）で転送済みのリダイレクションの実行を許容する理由（この場合は理由Ｃ）に合致しているため、Ｍ網のリダイレクション具備状況に合ったリダイレクションを実行することができる（動作５−１−４）。すなわち、前位交換機１２は後位交換機１３への経路を切断した後、他の交換機１４に（３）ＩＡＭを順次転送し、着信者１６に着信させる。
【００２３】
図６は、Ｎ網からの発信者の場合であって、Ｎ網のリダイレクション機能の具備状況は、理由Ａおよび理由Ｂに対するリダイレクションの実行機能を具備しており、後位のサービス条件は理由Ｃでリダイレクションしたい場合である。
Ｎ網からの発信者１１の場合には、発信者１１からの接続に対して、前位交換機１２では、Ｎ網のリダイレクション機能の具備状況により、リダイレクションの実行を許容する理由（この場合は理由Ａおよび理由Ｂ）をアドレスメッセージ（１）ＩＡＭに設定し、後位交換機１３に転送する（動作５−２−１）。後位交換機１３では、リダイレクションを起動する理由（この場合は理由Ｃ）でリダイレクションの起動が可能か否かを、アドレスメッセージ（１）ＩＡＭで受信した、前位交換機１２からのリダイレクションの実行を許容する理由（この場合は理由Ａおよび理由Ｂ）を利用して判断する（動作５−２−２）。
【００２４】
リダイレクションを起動する理由（この場合は理由Ｃ）が、前位交換機１２からのリダイレクションの実行を許容する理由（この場合は理由Ａおよび理由Ｂ）と一致していないため、後位交換機１３ではリダイレクションを起動せず、他の呼処理（この場合は、通常の切断手順を実行）を行う（動作５−２−３）。
このような作用により、前位交換機１２では、後位交換機１３からアドレスメッセージ（ＩＡＭ）で転送済みのリダイレクションの実行を許容する理由（この場合は理由Ａおよび理由Ｂ）以外の理由でリダイレクションの実行を要求されることはなく、Ｎ網のリダイレクション具備状況に合わないリダイレクションを実行することはない。
この結果、前位交換機１２では、必ずリダイレクションの実行を許容する理由でのみリダイレクションを実行することができ、従来の技術に比べて、異なるネットワークでのリダイレクション機能の具備状況の差に対応してリダイレクションを利用するか否かを選択することができる、という効果がある。
【００２５】
（第２の実施例）
図７は、本発明の第２の実施例を示す選択的リダイレクション方法の説明図であって、前位交換機群および後位交換機群の間の中継交換機群での、リダイレクション実行理由の追加を行う場合である。
リダイレクションの能力を持つ中継交換機では、前位交換機群から送られてくる以下の情報（１）に対して、以下の条件で値の追加を行う。
【００２６】
（１）リダイレクション実行理由（図７参照）
前位のサービス条件は、理由Ａおよび理由Ｂであれば、リダイレクションを許容する、というものである。この場合には、発信者１１からの接続に対して、前位交換機１２では前位のサービス条件によりリダイレクションの実行を許容する全ての理由（ここでは、理由Ａおよび理由Ｂ）をアドレスメッセージ（１−１）ＩＡＭに設定し、中継交換機１５に転送する（動作１−１）。中継交換機１５では、リダイレクションを起動する理由として、理由Ｃに対してもリダイレクションの起動が可能の場合には、値を追加して、リダイレクションの実行を許容する全ての理由（理由Ａおよび理由Ｂおよび理由Ｃ）をアドレスメッセージ（１−２）ＩＡＭに設定して、後位交換機１３に転送する（動作１−３）。
【００２７】
なお、図８に示すような後位交換機１３の動作フローの各ステップをプログラムに変換し、変換されたプログラムをＣＤ−ＲＯＭ等の記録媒体に格納して、後位交換機１３のコンピュータに装着すれば、コンピュータの主メモリにローディングして実行することにより、本発明を容易に実現することができる。なお、そのコンピュータからネットワークを介して他の交換機のコンピュータにダウンロードすることによっても、その交換機において容易に本発明を実現することができる。
【００２８】
【発明の効果】
以上説明したように、本発明によれば、後位交換機は、▲１▼前位のサービスおよび後位のサービスの条件に依存して、リダイレクションを利用するか否かを選択することができ、▲２▼前位のサービス条件により、発ユーザの属性毎にリダイレクションを利用するか否かを選択することができ、さらに▲３▼異なるネットワークでのリダイレクション機能の具備状況の差に対応してリダイレクションを利用するか否かを選択することができる、という効果が得られる。
【図面の簡単な説明】
【図１】本発明の第１の実施例を示す選択的リダイレクション方法（実施態様１、前位の許容理由と一致の場合）の説明図である。
【図２】本発明の第１の実施例を示す選択的リダイレクション方法（実施態様１、前位の許容理由と不一致の場合）の説明図である。
【図３】本発明の第１の実施例を示す選択的リダイレクション方法（実施態様２、発ユーザの属性毎に選択する場合）の説明図である。
【図４】本発明の第１の実施例を示す選択的リダイレクション方法（実施態様２、発ユーザの属性毎に選択する場合）の説明図である。
【図５】本発明の第１の実施例を示す選択的リダイレクション方法（実施態様３、網のリダイレクション機能の具備状況による場合）の説明図である。
【図６】本発明の第１の実施例を示す選択的リダイレクション方法（実施態様３、網のリダイレクション機能の具備状況による場合）の説明図である。
【図７】本発明の第２の実施例を示す選択的リダイレクション方法（中継交換機での実行理由の追加の場合）の説明図である。
【図８】本発明での後位交換機におけるリダイレクションを起動するための判断プロセスを示すフローチャートである。
【図９】リダイレクション手順で利用されるパラメータの構成図である。
【図１０】従来における後位交換機におけるリダイレクションを起動するための判断プロセスを示すフローチャートである。
【図１１】従来におけるリダイレクション手順を示すシーケンスチャートである。
【符号の説明】
１１…発信者、１２…前位交換機、１３…後位交換機、１５…中継交換機、
１４…他の交換機、１６…着信者、ＩＡＭ…アドレスメッセージ、
ＲＥＬ…切断メッセージ。
【図１】
0003755740.tif 000002
【図２】
0003755740.tif 000003
【図３】
0003755740.tif 000004
【図４】
0003755740.tif 000005
【図５】
0003755740.tif 000006
【図６】
0003755740.tif 000007
【図７】
0003755740.tif 000008
【図８】
0003755740.tif 000009
【図９】
0003755740.tif 000010
【図１０】
0003755740.tif 000011
【図１１】
0003755740.tif 000012